(57)【特許請求の範囲】
【請求項１】
移動局のケイパビリティを格納するロジックであり、ケイパビリティは、下りリンク及び上りリンクの基本アンテナ構成と、基本マルチアンテナモードと、最小送信帯域幅とに少なくとも関係するロジックと、
前記移動局のケイパビリティが初期設定レベルより上であることに応じて、ケイパビリティインデックスコードを使用して基地局とケイパビリティを選択的に交渉し、前記移動局のケイパビリティが初期設定レベルであることに応じて、前記基地局に対してケイパビリティインデックスコードを示さないロジックであり、前記ケイパビリティインデックスコードは、前記移動局の複数のケイパビリティを表し、前記インデックスコードは、ケイパビリティクラスi+1がケイパビリティクラスi（i≧0）の全ての機能及びパラメータを含むケイパビリティクラスを表すロジックと、
前記基地局からの第２のケイパビリティインデックスコードの受信に応じて、前記基地局からの第２のケイパビリティインデックスコードに選択的にアクセスするロジックであり、前記第２のケイパビリティインデックスコードは、前記基地局の複数のケイパビリティを表すロジックと、
前記基地局との交渉に応じて、前記基地局の前記受信した複数のケイパビリティに部分的に基づいてケイパビリティを選択的に適用するロジック、又は、少なくとも前記移動局のケイパビリティが前記初期設定レベルであることに応じて、初期設定レベルのケイパビリティを選択的に適用するロジックと
を有する移動局。
【請求項２】
前記ケイパビリティインデックスコードは、移動局の構成を記述し得る関数、構成パラメータ、無線プロトコルインタフェースの改訂版又はサービスのセットを規定する、請求項１に記載の移動局。
【請求項３】
ケイパビリティクラスi及びjは、i≠jであり、ケイパビリティクラスiで規定された機能及びパラメータがケイパビリティクラスjと完全又は部分的に独立する、請求項１に記載の移動局。
【請求項４】
ケイパビリティインデックスコードを使用して基地局とケイパビリティを選択的に交渉する前記ロジックは、AAI-SBC-REQ（Advanced  Air  Interface  SS  basic  capability  request）メッセージフォーマットのTLV（Type/Length/Value）  Encoded  Informationフィールドを使用して前記コードを送信する、請求項１に記載の移動局。
【請求項５】
AAI-SBC-RSP（Advanced  Air  Interface  SS  basic  capability  response）メッセージフォーマットのTLV（Type/Length/Value）  Encoded  Attributesフィールドを使用して前記第２のケイパビリティインデックスコードを受信するロジックを更に有する、請求項１に記載の移動局。
【請求項６】
基地局のケイパビリティを格納するロジックであり、ケイパビリティは、下りリンク及び上りリンクの基本アンテナ構成と、基本マルチアンテナモードと、最小送信帯域幅とに少なくとも関係するロジックと、
ケイパビリティインデックスコードに基づいて移動局からのケイパビリティに選択的にアクセスするロジックであり、前記移動局からの前記コードは、前記移動局の初期設定のケイパビリティより上の前記移動局の複数のケイパビリティを表し、前記コードは、ケイパビリティクラスi+1がケイパビリティクラスi（i≧0）の全ての機能及びパラメータを含むケイパビリティクラスを表し、前記基地局は、前記基地局の前記ケイパビリティがシステムの初期設定のケイパビリティより上である場合にケイパビリティを交渉し、前記基地局は、前記基地局の前記ケイパビリティが前記システムの初期設定のケイパビリティである場合にもケイパビリティを伝達するロジックと、
前記移動局からの前記ケイパビリティの受信に応じて、第２のケイパビリティインデックスコードを使用して前記基地局のケイパビリティを前記移動局に選択的に送信するロジックであり、前記第２のケイパビリティインデックスコードは、前記基地局によりサポートされるケイパビリティを示すロジックと
を有する基地局。
【請求項７】
前記ケイパビリティインデックスコードは、移動局の構成を記述し得る関数、構成パラメータ、無線プロトコルインタフェースの改訂版又はサービスのセットを規定する、請求項６に記載の基地局。
【請求項８】
AAI-SBC-REQ（Advanced  Air  Interface  SS  basic  capability  request）メッセージフォーマットのTLV（Type/Length/Value）  Encoded  Informationから前記ケイパビリティインデックスコードにアクセスするロジックを更に有する、請求項６に記載の基地局。
【請求項９】
前記選択的に送信するロジックは、AAI-SBC-RSP（Advanced  Air  Interface  SS  basic  capability  response）メッセージフォーマットのTLV（Type/Length/Value）  Encoded  Attributesフィールドを使用して前記第２のケイパビリティインデックスコードを送信する、請求項６に記載の基地局。
【請求項１０】
ケイパビリティを設定するシステムであって、
ディスプレイデバイスと、
移動局のケイパビリティを格納するように構成されたメモリであり、ケイパビリティは、下りリンク及び上りリンクの基本アンテナ構成と、基本マルチアンテナモードと、最小送信帯域幅とに少なくとも関係するメモリと、
前記ディスプレイデバイス及び前記メモリに通信可能に結合されたプロセッサとを有し、
前記プロセッサは、
前記移動局のケイパビリティが初期設定レベルより上であることに応じて、ケイパビリティインデックスコードを使用して基地局とのケイパビリティの交渉を選択的に開始し、ただし、前記ケイパビリティインデックスコードは、前記移動局の複数のケイパビリティを表し、前記コードは、ケイパビリティクラスi+1がケイパビリティクラスi（i≧0）の全ての機能及びパラメータを含むケイパビリティクラスを表し、
前記基地局からの第２のケイパビリティインデックスコードの受信に応じて、前記基地局からの第２のケイパビリティインデックスコードに選択的にアクセスし、ただし、前記第２のケイパビリティインデックスコードは、前記基地局の複数のケイパビリティを表し、
前記基地局との交渉に応じて、前記基地局の前記受信した複数のケイパビリティに部分的に基づいてケイパビリティを選択的に適用する、又は、少なくとも前記基地局とのケイパビリティの交渉がないことに応じて、初期設定レベルのケイパビリティを選択的に適用するように構成されるシステム。
【請求項１１】
前記ケイパビリティインデックスコードは、AAI-SBC-REQ（Advanced  Air  Interface  SS  basic  capability  request）メッセージフォーマットのTLV（Type/Length/Value）  Encoded  Informationフィールドを使用して送信される、請求項１０に記載のシステム。
【請求項１２】
前記第２のケイパビリティインデックスコードは、AAI-SBC-RSP（Advanced  Air  Interface  SS  basic  capability  response）メッセージフォーマットのTLV（Type/Length/Value）  Encoded  Attributesフィールドを使用して受信される、請求項１０に記載のシステム。
【請求項１３】
ケイパビリティを設定するためにコンピュータにより実施される方法であって、
移動局が初期設定のケイパビリティクラスより上で動作するケイパビリティを有することに応じて、AAI-SBC-REQメッセージを基地局に選択的に送信するステップであり、前記AAI-SBC-REQメッセージは、前記移動局のケイパビリティクラスを表すインデックスを含み、前記ケイパビリティクラスは、前記移動局の複数のケイパビリティを表し、前記インデックスは、ケイパビリティクラスi+1がケイパビリティクラスi（i≧0）の全ての機能及びパラメータを含むケイパビリティクラスを表すステップと、
前記基地局から受信したAAI-SBC-RSPメッセージに選択的にアクセスするステップであり、前記AAI-SBC-RSPメッセージは、前記基地局のケイパビリティインデックスを含み、前記AAI-SBC-RSPメッセージは、前記ケイパビリティクラス以下の数値のケイパビリティインデックスを伝達するステップと、
少なくとも前記移動局が初期設定のケイパビリティクラスより上で動作するケイパビリティを送信しないことに応じて、前記基地局の前記ケイパビリティインデックスに部分的に基づいてケイパビリティを選択的に適用するステップと、
前記基地局の前記ケイパビリティインデックスの受信に応じて、前記基地局の前記ケイパビリティインデックスに部分的に基づいてケイパビリティを選択的に適用するステップと
を有する方法。
【請求項１４】
前記ケイパビリティクラスは、移動局の構成を記述し得る関数、構成パラメータ、無線プロトコルインタフェースの改訂版又はサービスの特有のセットを規定する、請求項１３に記載の方法。
【請求項１５】
ケイパビリティクラスi及びjは、i≠jであり、ケイパビリティクラスiで規定された機能及びパラメータがケイパビリティクラスjと完全又は部分的に独立する、請求項１３に記載の方法。
【請求項１６】
AAI-SBC-REQメッセージを基地局に選択的に送信するステップは、TLV  Encoded  Informationフィールドを使用して前記コードを送信することを有する、請求項１３に記載の方法。
【請求項１７】
TLV  Encoded  Attributesフィールドを使用して前記基地局からAAI-SBC-RSPメッセージを受信するステップを更に有する、請求項１３に記載の方法。
【請求項１８】
前記ケイパビリティクラスiにより示されるケイパビリティは、下りリンク及び上りリンクの基本アンテナ構成と、基本マルチアンテナモードと、最小送信帯域幅とに関係するパラメータを有するグループから選択される、請求項１３に記載の方法。
【請求項１９】
第(i+1)のケイパビリティインデックスコードにより示されるケイパビリティは、ケイパビリティクラスiに含まれる全ての機能と、更に高いマルチアンテナモード及び更に高い最小送信帯域幅を有するグループから選択される、請求項１８に記載の方法。
【請求項２０】
初期デバイス設定中に各ケイパビリティクラスの機能を前記移動局及び基地局に識別させるステップを更に有する、請求項１３に記載の方法。
【請求項２１】
AAI-SBC-REQメッセージを基地局に送信するステップは、ネットワーク参加、ネットワーク再参加又はネットワークハンドオーバの間にAAI-SBC-REQメッセージを基地局に送信することを有する、請求項１３に記載の方法。
【請求項２２】
AAI-SBC-REQメッセージを基地局に送信するステップは、前記移動局によりサポートされる最高のケイパビリティインデックスを送信することを有する、請求項１３に記載の方法。
【発明の詳細な説明】
【技術分野】
【０００１】
ここに開示された対象は、概して、移動局が基地局とケイパビリティ（capability）を交渉する技術に関する。
【背景技術】
【０００２】
IEEE  Std  802.16-2009は、移動局及び基地局がネットワーク参加（network  entry）及び再参加の間にMAC管理メッセージを交換するケイパビリティ交渉手順を記載している。IEEE  Std.  802.16-2009のセクション6.3.2.3.23は、移動局がケイパビリティを要求するために可変長メッセージを使用すること、及び基地局がケイパビリティ応答を示すために可変長メッセージを使用することを記載している。測距（ranging）の完了の直後に、移動局は、そのケイパビリティのそれぞれを“on”に設定したSBC-REQメッセージ（SS  basic  capability  request）を送信することにより、移動局の基本ケイパビリティを基地局に通知する（IEEE  Std  802.16-2009の図75）。基地局は、移動局及び基地局のケイパビリティの共通部分を“on”に設定したSBC-RSPメッセージ（SS  basic  capability  response）で応答する（IEEE  Std  802.16-2009の図76及び図77）。
【発明の概要】
【発明が解決しようとする課題】
【０００３】
しかし、IEEE  Std  802.16-2009のケイパビリティ交渉手順には様々な潜在的な問題が存在する。ケイパビリティ交渉MAC管理メッセージは、サイズが非常に大きい。結果のMACメッセージはしばしば複数のMACプロトコルデータユニット（MAC  PDU：MAC  Protocol  Data  Unit）に分割され、特にセル端ユーザにとって厳しいチャネル状況での誤り確率は非常に高くなる可能性があり、更なるネットワーク参加／再参加の遅延と、高い制御プレーンの待ち時間とを生じる。
【図面の簡単な説明】
【０００４】
【図１】実施例に従ってケイパビリティ構成セッションに関与する無線通信システム
【図２】クラス0から高いクラス番号N（N≧0）へのケイパビリティクラスの順序を示す図
【図３】IEEE  Std  802.16-2009からのSBC-REQメッセージ
【図４】IEEE  Std  802.16-2009からのSBC-RSPメッセージ
【図５】実施例に従って移動局と基地局との間でケイパビリティを交渉する処理
【図６】実施例に従ったシステム
【発明を実施するための形態】
【０００５】
本発明の実施例について、図面において例示ではなく、一例として説明する。図面において、同様の参照符号は同様の要素を示す。
【０００６】
この明細書を通じた“一実施例”又は“実施例”への言及は、実施例に関して記載された特定の機能、構造又は特徴が本発明の少なくとも１つの実施例に含まれることを意味する。従って、明細書を通じて様々な場所に“一実施例”又は“実施例”という用語が現れることは、必ずしも同じ実施例を示しているとは限らない。更に、特定の機能、構造又は特徴は、１つ以上の実施例に組み合わされてもよい。
【０００７】
本発明の実施例は、様々な用途で使用されてもよい。本発明の或る実施例は、様々なデバイス及びシステム（例えば、送信機、受信機、トランシーバ、送受信機、無線通信局、無線通信デバイス、無線アクセスポイント（AP：Access  Point）、モデム、無線モデム、パーソナルコンピュータ（PC：Personal  Computer）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、パーソナルデジタルアシスタント（PDA：Personal  Digital  Assistant）デバイス、ハンドヘルドPDAデバイス、ネットワーク、無線ネットワーク、ローカルエリアネットワーク（LAN：Local  Area  Network）、無線LAN（WLAN：Wireless  LAN）、メトロポリタンエリアネットワーク（MAN：Metropolitan  Area  Network）、無線MAN（WMAN：Wireless  MAN）、広域ネットワーク（WAN：Wide  Area  Network）、無線WAN（WWAN：Wireless  WAN）、既存のIEEE802.11、802.11a、802.11b、802.11e、802.11g、802.11h、802.11i、802.11n、802.16、802.16d、802.16e、802.16m若しくは3GPP標準及び／又は将来のバージョン及び／又はその派生及び／又は前述の標準のLTE（Long  Term  Evolution）に従って動作するデバイス及び／又はネットワーク、パーソナルエリアネットワーク（PAN：Personal  Area  Network）、無線PAN（WPAN：Wireless  PAN）、前述のWLAN及び／又はPAN及び／又はWPANネットワークの一部であるユニット及び／又はデバイス、一方向及び／又は双方向無線通信システム、セルラ無線電話通信システム、セルラ電話、無線電話、パーソナル通信システム（PCS：Personal  Communication  System）デバイス、無線通信デバイスを組み込んだPDAデバイス、MIMO（Multiple  Input  Multiple  Output）トランシーバ又はデバイス、SIMO（Single  Input  Multiple  Output）トランシーバ又はデバイス、MISO（Multiple  Input  Single  Output）トランシーバ又はデバイス、MRC（Multi  Receiver  Chain）トランシーバ又はデバイス、“スマートアンテナ”技術又は複数アンテナ技術を有するトランシーバ又はデバイス等）と関連して使用されてもよい。
【０００８】
本発明の或る実施例は、１つ以上の種類の無線通信信号及び／又はシステム（例えば、無線周波数（RF：Radio  Frequency）、赤外線（IR：Infra  Red）、周波数分割多重（FDM：Frequency-Division  Multiplexing）、直交FDM（OFDM：Orthogonal  FDM）、直交周波数分割多重アクセス（OFDMA：Orthogonal  Frequency  Division  Multiple  Access）、時分割多重（TDM：Time-Division  Multiplexing）、時分割多重アクセス（TDMA：Time-Division  Multiple  Access）、E-TDMA（Extended  TDMA）、GPRS（General  Packet  Radio  Service）、Extended  GPRS、符号分割多重アクセス（CDMA：Code-Division  Multiple  Access）、広帯域CDMA（WCDMA：Wideband  CDMA）、CDMA2000、MDM（Multi-Carrier  Modulation）、DMT（Discrete  Multi-Tone）、Bluetooth（RTM）、ZigBee（TM）等）と関連して使用されてもよい。本発明の実施例は、様々な他の装置、デバイス、システム及び／又はネットワークで使用されてもよい。IEEE802.11xは、非限定的に802.11a、802.11b、802.11e、802.11g、802.11h、802.11i及び802.11nを含み、いずれかの既存のIEEE802.11仕様を示してもよい。
【０００９】
様々な実施例は、ケイパビリティ（capability）を示すために所定のケイパビリティクラス及びケイパビリティクラスインデックスを使用することにより、ネットワーク参加／再参加又はハンドオーバ中に移動局（MS）と基地局（BS）との間のケイパビリティ交渉を提供する。TLV（Type/Length/Value）符号化又はASN.1（Abstract  Syntax  Notation  One）符号化されたMAC管理メッセージは、IEEE  Std  802.16-2009の333-336ページに記載のように、ケイパビリティ交渉中に交換されてもよい。ケイパビリティ交渉は、適切な相互運用性を確保するために、所望の移動局又は基地局のケイパビリティに拘らず実行されてもよい。ケイパビリティクラス交渉の成功は、移動局及び基地局が機能又はケイパビリティの共通のセットをサポートすることを含む。
【００１０】
様々な実施例において、Type/Length/Valueは、IEEE  Std  802.16-2009に準拠したMAC管理メッセージのいくつかの“未使用の値（reserved  value）”のフィールドを使用して規定されてもよい。TLV符号化は、SBC-REQ及びSBC-RSPメッセージでケイパビリティインデックス値を伝達するために使用されてもよい。IEEE802.16mのMAC管理メッセージは、“Advanced  Air-Interface”メッセージを示す“AAI”プレフィックスにより、その従来の対応するものと区別される。従って、これらのMAC管理メッセージは、IEEE  802.16m仕様のAAI_SBC-REQ及びAAI_SBC-RSPにより示される。
【００１１】
様々な実施例は、小さい数のビットを使用したケイパビリティのシグナリングと、システム障害の場合のフォールバック機構とを可能にする。従って、大きいケイパビリティ交渉MAC管理メッセージから生じる更なるネットワーク参加／再参加の遅延と高い制御プレーンの待ち時間とに関する問題は、軽減され得る。様々な実施例は、ケイパビリティを交渉するために使用される帯域幅の量を低減する。通信の中断は、ケイパビリティ交渉と干渉する可能性が低い。
【００１２】
図１は、実施例に従ってケイパビリティ構成セッションに関与する無線通信システムを示している。移動局110は、SBC-REQとして示すケイパビリティ要求メッセージを基地局120に送信する。基地局120は、SBC-RSPメッセージを使用してケイパビリティを移動局110に示す。移動局110と基地局120との間の無線インタフェースは、IEEE802.16m標準の最新の承認されたバージョン（2010年に想定される）で指定されたIEEE802.16mに準拠するものでもよい。非限定的に3GPP  LTE及びLTE-Advancedのような他の無線通信プロトコルが使用されてもよい。様々な実施例では、ケイパビリティはケイパビリティクラスインデックスを使用して示されてもよい。
【００１３】
図２は、クラス0から高いクラス番号N（N≧0）へのケイパビリティクラスの順序を示している。ケイパビリティクラスは、セルラネットワークで動作する間の移動局の実装又は構成を一意に記述し得る関数、構成パラメータ、無線インタフェースプロトコルバージョン及び／又はサービスの特有のセットとして規定される。図２に示すように、ケイパビリティクラスi+1がケイパビリティクラスi（i≧0）の全ての機能及びパラメータを含むように、ケイパビリティクラスは入れ子状になってもよい。或る場合には、ケイパビリティクラスiで規定された機能及びパラメータがケイパビリティクラスjと完全又は部分的に独立している場合、ケイパビリティクラスi及びj（i≠j）は相互排他的でもよい。様々な実施例では、増加するクラス番号は、増加又は向上するデバイスケイパビリティに対応する。様々な実施例では、ケイパビリティインデックスの数値が高いほど、向上した機能がサポートされる。
【００１４】
標準又はシステムプロファイルによりサポートされる全体の特徴のセット又は構成パラメータ（例えば、必須の特徴及び任意選択の特徴の双方）は、異なるケイパビリティクラスに分類されてもよい。例えば、“ケイパビリティクラス0”は、“CAPABILITY_INDEX=0”に対応する初期設定構成を示す。“CAPABILITY_INDEX”値は0からNの範囲になり、機能の分割及びケイパビリティクラスの数は、システムプロファイル又は実際の仕様を開発するときに考慮されるデバイスクラス及び他の考慮すべき事項に依存する。基本クラスに含まれる機能及び構成パラメータは、適用可能な無線通信標準の最小性能要件に合うのに十分になり得る。
【００１５】
例えば、ケイパビリティクラス0は、初期設定のケイパビリティインデックス及び基本機能セット又は構成パラメータを示し、シグナリングされる必要はない。移動局は、初期設定で、機能又は構成パラメータの基本セット（システムプロファイル又は標準の仕様書自体で規定されたもの）又は無線インタフェースプロトコルの改訂版（revision）をサポートする。このような場合、基本ケイパビリティを交渉及び構成する必要はない。従って、初期設定で、基地局は、移動局が基本ケイパビリティをサポートすることを想定してもよく、移動局又は基地局が基本ケイパビリティの機能セットに基づいて動作する場合、MAC管理メッセージは交換されない。
【００１６】
移動局が無線インタフェース（物理レイヤ（PHY）又は媒体アクセス制御（MAC）レイヤ）プロトコルの高い改訂版をサポートすることができ、向上した特徴を使用する場合、移動局は、移動局によりサポートされる最も高いケイパビリティインデックスを示すSBC-REQを使用して、MAC管理メッセージを基地局に送信する。一例として、ケイパビリティクラス0は、下りリンク及び上りリンクにおける基本アンテナ構成に関するパラメータと、基本マルチアンテナモードと、最小送信帯域幅と、IEEE  Std.  802.16-2009のセクション11に記載の他のパラメータ又はWMF-T23-001-R015v01  MSP-Common-Part、WMF-T23-002-R015v01,  MSP-TDD及びWMF-T23-002-R015v01  MSP-FDDシステムプロファイルに指定の他のパラメータとを含んでもよい。ケイパビリティクラス1は、ケイパビリティクラス0に含まれる全ての機能と、更に高いマルチアンテナモード及び最小送信帯域幅のような更なる機能とを含んでもよい。
【００１７】
移動局からのケイパビリティインデックスを含むMAC管理メッセージ（例えば、SBC-REQ又はAAI_SBC-REQ）の受信に応じて、基地局は、要求された機能セット又はMAC及び／又はPHYプロトコルの改訂版がサポート可能であるか否かを判定する。基地局が向上した特徴の使用をサポート又は許容できる場合、基地局は、SBC-RSP（又はAAI_SBC-RSP）を使用してMAC管理メッセージで応答し、その判定を移動局に通知する。基地局は、移動局により要求されたもの以下の数値のケイパビリティインデックスをシグナリングする。
【００１８】
いずれかの動作段階における障害の場合、移動局及び基地局は、“ケイパビリティクラス0”にフォールバックし、必要に応じて新しい“ケイパビリティクラス”の交渉を再開する。
【００１９】
各ケイパビリティクラスの機能は、オペレータ又はベンダによる初期デバイス設定中に移動局及び基地局に識別又は通信されてもよく、或いは、デバイスは無線インタフェースでプログラム又は更新されてもよい。
【００２０】
図３及び４は、IEEE  Std  802.16-2009からのSBC-REQ及びSBC-RSPメッセージフォーマットをそれぞれ示している。様々な実施例では、各移動局及び基地局のケイパビリティインデックスを示すために可変サイズのフィールド（SBC-REQのTLV  Encoded  Information及びSBC-RSPのTLV  Encoded  Attributes）が使用される。
【００２１】
図５は、実施例に従って移動局と基地局との間でケイパビリティを交渉する処理を示している。
【００２２】
ブロック502は、要求されたケイパビリティがシステムの初期設定より上である場合、移動局がケイパビリティクラスインデックスを選択的に送信することを含む。例えば、SBC-REQ（又はAAI_SBC-REQ）の可変サイズのTLV  Encoded  Informationが、移動局からケイパビリティクラスインデックスを送信するために使用されてもよい。
【００２３】
ブロック504は、基地局がインデックスを使用してケイパビリティクラスを示すことを含む。示されたケイパビリティクラスは、移動局の要求されたケイパビリティクラス以下である。例えば、SBC-RSP（又はAAI_SBC-RSP）の可変サイズのTLV  Encoded  Attributesフィールドが、基地局からケイパビリティクラスインデックスを送信するために使用されてもよい。
【００２４】
図６は、実施例に従ったシステムを示している。コンピュータシステム600は、ホストシステム602とディスプレイ622とを含んでもよい。コンピュータシステム600は、ハンドヘルドパーソナルコンピュータ、移動電話、セットトップボックス又はいずれかの計算デバイスに実装されてもよい。ホストシステム602は、チップセット605と、プロセッサ610と、ホストメモリ612と、記憶装置614と、グラフィックサブシステム615と、無線機420とを含んでもよい。チップセット605は、プロセッサ610と、ホストメモリ612と、記憶装置614と、グラフィックサブシステム615と、無線機420との間の相互通信を提供してもよい。例えば、チップセット605は、記憶装置614との相互通信を提供可能な記憶装置アダプタ（図示せず）を含んでもよい。例えば、記憶装置アダプタは、SCSI（Small  Computer  Systems  Interface）、FC（Fiber  Channel）及び／又はS-ATA（Serial  Advanced  Technology  Attachment）のプロトコルのいずれかに従って記憶装置614と通信可能でもよい。
【００２５】
プロセッサ610は、CISC（Complex  Instruction  Set  Computer）若しくはRISC（Reduced  Instruction  Set  Computer）プロセッサ、マルチコア、又は他のマイクロプロセッサ若しくは中央処理ユニットとして実装されてもよい。
【００２６】
ホストメモリ612は、非限定的にランダムアクセスメモリ（RAM：Random  Access  Memory）、ダイナミックランダムアクセスメモリ（DRAM：Dynamic  Random  Access  Memory）又はスタティックRAM（SRAM：Static  RAM）のような揮発性メモリデバイスとして実装されてもよい。記憶装置614は、非限定的に磁気ディスクドライブ、光ディスクドライブ、テープドライブ、内部記憶デバイス、付属記憶デバイス、フラッシュメモリ、バッテリバックアップ式SDRAM（シンクロナスDRAM）及び／又はネットワークアクセス可能記憶デバイスとして実装されてもよい。
【００２７】
グラフィックサブシステム615は、表示用の静止画又はビデオのような画像の処理を実行してもよい。グラフィックサブシステム615及びディスプレイ622を通信可能に結合するために、アナログ又はデジタルインタフェースが使用されてもよい。例えば、インタフェースは、HDMI（High-Definition  Multimedia  Interface）、ディスプレイポート、無線HDMI及び／又は無線HD準拠の技術のいずれかでもよい。グラフィックサブシステム615は、プロセッサ610又はチップセット605に統合されてもよい。グラフィックサブシステム615は、チップセット605に通信可能に結合されたスタンドアローンカードでもよい。
【００２８】
無線機620は、非限定的にIEEE802.11及びIEEE802.16のいずれかのバージョンのような適用可能な無線標準に従って信号を送信及び受信可能な1つ以上の無線機を含んでもよい。様々な実施例では、無線機620は、基地局とケイパビリティを交渉するために図１に関して記載した技術を実行する。例えば、無線機620は、少なくとも物理レイヤインタフェースと媒体アクセスコントローラとを含んでもよい。
【００２９】
本発明の実施例は、マザーボードを使用して相互接続された1つ以上のマイクロチップ又は集積回路、配線によるロジック、メモリデバイスにより格納されてマイクロプロセッサにより実行されるソフトウェア、ファームウェア、特定用途向け集積回路（ASIC：application  specific  integrated  circuit）及び／又はフィールドプログラマブルゲートアレイ（FPGA：field  programmable  gate  array）のいずれか又は組み合わせとして実装されてもよい。“ロジック”という用語は、一例として、ソフトウェア若しくはハードウェア及び／又はソフトウェアとハードウェアとの組み合わせを含んでもよい。
【００３０】
本発明の実施例は、例えば、1つ以上の機械（コンピュータ、コンピュータのネットワーク又は他の電子デバイス等）により実行されたときに、1つ以上の機械が本発明の実施例による動作を実行することを生じ得る機械実行可能命令を格納した1つ以上の機械可読媒体を含んでもよいコンピュータプログラムプロダクトとして提供されてもよい。機械可読媒体は、非限定的にフロッピー（登録商標）ディスク、光ディスク、CD-ROM（Compact  Disc-Read  Only  Memory）、光磁気ディスク、ROM（Read  Only  Memory）、RAM（Random  Access  Memory）、EPROM（Erasable  Programmable  Read  Only  Memory）、EEPROM（Electrically  Erasable  Programmable  Read  Only  Memory）、磁気若しくは光カード、フラッシュメモリ、又は機械実行可能命令を格納するのに適した他の種類のメディア／機械可読媒体を含んでもよい。
【００３１】
図面及び前述の説明は、本発明の例を挙げている。複数の別個の機能項目として示されているが、当業者は、このような要素の1つ以上が適切に単一の機能要素に結合されてもよいことを認識する。或いは、特定の要素は、複数の機能要素に分割されてもよい。１つの実施例からの要素は、他の実施例に追加されてもよい。例えば、ここに記載の処理の順序は、変更されてもよく、ここに記載の方法に限定されない。更に、いずれかのフローチャートの動作は、図示の順序に実施される必要はない。また、全ての動作が必ずしも実行される必要があるとは限らない。また、他の動作に依存しない動作は、他の動作と並行して実行されてもよい。しかし、本発明の範囲は、これらの特定の例に限定されない。明細書に明示的に示されていてもいなくても、構造、大きさ及び素材の使用の違いのような複数の変形例が可能である。本発明の範囲は、少なくとも特許請求の範囲により与えられる程度に広い。
【図１】
0005539520.tif 000002
【図２】
0005539520.tif 000003
【図３】
0005539520.tif 000004
【図４】
0005539520.tif 000005
【図５】
0005539520.tif 000006
【図６】
0005539520.tif 000007